(57)【特許請求の範囲】
【請求項１】
光ビームの被走査面上における走査位置を所定ピッチずつ副走査方向にずらしながら主走査方向に走査する光書き込み装置において、
前記主走査方向の書き出し位置の基準位置を検出した検出信号に基づいて当該主走査方向の書き出し位置を決定し、当該決定された書き出し位置から走査された当該主走査方向の任意の位置で書き込みクロック周波数を単発的に伸縮するクロック周波数伸縮手段と、
前記クロック周波数伸縮手段により伸縮された前記書き込みクロックの伸縮に従って画像データを伸縮させる画像データ伸縮手段と、前記クロック周波数伸縮手段により前記書き込みクロックが縮められ、前記画像データ伸縮手段により縮められた分の微小画素が削除されて前記画像データの濃度が減少した場合は、次書き込みクロックで前記削除された前記微小画素分の画素を補正する補正手段と、を備え、
前記補正手段は、前記削除された前記微小画素分の画素を補正する場合、前記画像データが所定のビット数を成す前記画素の位相情報と濃度情報とで構成されるときに前記次書き込みクロックで前記走査方向における次画素の位相情報又は濃度情報に基づいて前記微小画素分の画素ビット数の濃度データを濃度適正化のために補足することを特徴とする光書き込み装置。
【請求項２】
光ビームの被走査面上における走査位置を所定ピッチずつ副走査方向にずらしながら主走査方向に走査する光書き込み方法において、
前記主走査方向の書き出し位置の基準位置を検出した検出信号に基づいて当該主走査方向の書き出し位置を決定し、当該決定された書き出し位置から走査された当該主走査方向の任意の位置で書き込みクロック周波数を単発的に伸縮するクロック周波数伸縮ステップと、前記クロック周波数伸縮ステップで伸縮された前記書き込みクロックの伸縮に従って画像データを伸縮させる画像データ伸縮ステップと、前記クロック周波数伸縮ステップで前記書き込みクロックが縮められ、前記画像データ伸縮ステップで縮められた分の微小画素が削除されて前記画像データの濃度が減少した場合には、次書き込みクロックで前記削除された前記微小画素分の画素を補正する補正ステップと、を有し、
前記補正ステップでは、前記削除された前記微小画素分の画素を補正する場合、前記画像データが所定のビット数を成す前記画素の位相情報と濃度情報とで構成されるときに前記次書き込みクロックで前記走査方向における次画素の位相情報又は濃度情報に基づいて前記微小画素分の画素ビット数の濃度データを濃度適正化のために補足することを特徴とする光書き込み方法。
【請求項３】
請求項２記載の光書き込み方法における前記クロック周波数伸縮ステップ、前記画像データ伸縮ステップ、及び前記補正ステップの処理機能をコンピュータで実行するためのデータを備えたことを特徴とするコンピュータプログラム。
【請求項４】
請求項３記載のコンピュータプログラムのデータがコンピュータによって読み込まれて実行可能に記録されたことを特徴とする記録媒体。
【発明の詳細な説明】
【技術分野】
【０００１】
本発明は光ビームによって書き込みを行う光書き込み装置、この光書き込み装置を備えた複写機、プリンタ、ファクシミリ、およびこれらの機能を複合して備えたデジタル複合機などの画像形成装置、前記光書き込み装置で実行される光書き込み方法、この光書き込み方法をコンピュータで実行するためのコンピュータプログラム、及びこのコンピュータプログラムが記録された記録媒体に関する。
【背景技術】
【０００２】
この種の技術として、例えば特許文献１あるいは２に記載された発明が公知である。このうち、特許文献１には、走査レンズ等による走査ムラを補正することを目的として、画素クロックより周波数の高い高周波クロックのカウント値と、偏向器の偏向反射面の回転軸からの走査距離のばらつきまたは複数の光束の各発光点の走査方向の位置ずれによる走査方向の書きこみ開始位置ずれを補正するための高周波クロック単位の画素クロックの位相シフト量データとを比較し、比較結果に基づいて画素クロックの立ち上がり時点および立ち下がり時点の少なくとも一方をシフト制御する技術が開示されている。
【０００３】
また、特許文献２には、簡易な構成で主走査方向の画像の倍率誤差を補正することができるようにすることを目的として、温度センサによりｆθレンズの温度を検出し、その検出温度に対する補正データを補正量記憶部から読み出し、書込クロック生成部において、前記補正データに対する書込クロック周波数を生成し、この書込クロック周波数によって主走査方向の画像倍率を変更する技術が開示されている。この特許文献２記載の発明では、ｆθレンズの温度を検出し、書き込みＣＬＫ周波数を補正して、ドラム上での全体倍率を合わせるようにしている。
【０００４】
また、非特許文献１には、画素クロックの伸縮動作について開示されている。
【特許文献１】特開２００３−０３４０５１公報
【特許文献２】特開２００１−０５１２１４公報
【非特許文献１】Ricoh Technical Report No.30, December,2004
【発明の開示】
【発明が解決しようとする課題】
【０００５】
光書き込み装置を用いたデジタル複写機などの電子写真方式の画像形成装置では、画像形成媒体としての感光体ドラム上におけるレーザ光の等間隔性はｆθレンズによって保たれる。近年、ｆθレンズは、ガラス素材からプラスチック化が進められており、コストダウンが図られているが、プラスチック化したことにより機内の熱によるレンズへの影響が懸念されている。すなわち、機内温度が上昇することによってプラスチックレンズが膨張し、その結果、感光体ドラム上の正確な位置へレーザ書き込みが行えなくなることがある。ｆθレンズは、主走査方向に倍率偏差を有するため、主走査方向での任意エリア幅同士が、等しい距離になることはない。
【０００６】
このような誤差の発生を解消する技術として例えば前記特許文献１が知られているが、この発明は、書き込みクロック周波数（以下、クロックはＣＬＫと略称する）を単発的に伸縮させ、任意の主走査画像位置の書き込みＣＬＫ幅を変化（伸縮）させて主走査方向の位置補正を行い、レーザ書き込み位置を本来の目標位置に合わせ込むようにしている。この発明では、画像書き出し位置を、主走査後端側に移動させたい場合は、任意の位置の書き込みＣＬＫ幅を広げることにより以降の主走査位置が、この広がった差分だけずれることになる。そこで、この動作を繰り返し、任意の画像位置にレーザ光が当たるようにしている。また、ｆθレンズの倍率偏差についても、各エリア毎の偏差に合わせて、書き込みＣＬＫ幅を伸縮させることによって偏差をキャンセルするようにしている。
【０００７】
しかし、特許文献１および２記載の発明では、ＣＬＫが伸縮した場合、そのＣＬＫで発生させるレーザ光（画素濃度情報）も同時に伸縮することになる。特にカラー機においては、ＹＭＣの重ね合わせによって色を表現するため、ＣＬＫ伸縮をした部分としていない部分で色味が変わり、色味が変わると、その色味の変化が画像劣化として認識される場合も多い。
【０００８】
本発明は、このような背景に鑑みてなされたもので、その目的は、濃度情報の変化をなくし、出力画像への影響が生じないようにすることにある。
【課題を解決するための手段】
【０００９】
上記目的を達成するために、本発明の第１の手段は、光ビームの被走査面上における走査位置を所定ピッチずつ副走査方向にずらしながら主走査方向に走査する光書き込み装置において、前記主走査方向の書き出し位置の基準位置を検出した検出信号に基づいて当該主走査方向の書き出し位置を決定し、当該決定された書き出し位置から走査された当該主走査方向の任意の位置で書き込みクロック周波数を単発的に伸縮するクロック周波数伸縮手段と、前記クロック周波数伸縮手段により伸縮された前記書き込みクロックの伸縮に従って画像データを伸縮させる画像データ伸縮手段と、前記クロック周波数伸縮手段により前記書き込みクロックが縮められ、前記画像データ伸縮手段により縮められた分の微小画素が削除されて前記画像データの濃度が減少した場合は、次書き込みクロックで前記削除された前記微小画素分の画素を補正する補正手段と、を備え、前記補正手段は、前記削除された前記微小画素分の画素を補正する場合、前記画像データが所定のビット数を成す前記画素の位相情報と濃度情報とで構成されるときに前記次書き込みクロックで前記走査方向における次画素の位相情報又は濃度情報に基づいて前記微小画素分の画素ビット数の濃度データを濃度適正化のために補足することを特徴とする。
【００１０】
第２の手段は、光ビームの被走査面上における走査位置を所定ピッチずつ副走査方向にずらしながら主走査方向に走査する光書き込み方法において、前記主走査方向の書き出し位置の基準位置を検出した検出信号に基づいて当該主走査方向の書き出し位置を決定し、当該決定された書き出し位置から走査された当該主走査方向の任意の位置で書き込みクロック周波数を単発的に伸縮するクロック周波数伸縮ステップと、前記クロック周波数伸縮ステップで伸縮された前記書き込みクロックの伸縮に従って画像データを伸縮させる画像データ伸縮ステップと、前記クロック周波数伸縮ステップで前記書き込みクロックが縮められ、前記画像データ伸縮ステップで縮められた分の微小画素が削除されて前記画像データの濃度が減少した場合には、次書き込みクロックで前記削除された前記微小画素分の画素を補正する補正ステップと、を有し、前記補正ステップでは、前記削除された前記微小画素分の画素を補正する場合、前記画像データが所定のビット数を成す前記画素の位相情報と濃度情報とで構成されるときに前記次書き込みクロックで前記走査方向における次画素の位相情報又は濃度情報に基づいて前記微小画素分の画素ビット数の濃度データを濃度適正化のために補足することを特徴とする。
【００１１】
第３の手段は、第２の手段に係る光書き込み方法における前記クロック周波数伸縮ステップ、前記画像データ伸縮ステップ、及び前記補正ステップの処理機能をコンピュータで実行するためのデータをコンピュータプログラムが備えたことを特徴とする。
【００１２】
第４の手段は、第２の手段に係るコンピュータプログラムのデータがコンピュータによって読み込まれて実行可能に記録媒体に記録されたことを特徴とする。
【００２７】
なお、後述の実施形態において、クロック周波数伸縮手段は書き込み制御ＡＳＩＣ４、クロック生成部４９に、画像データ伸縮手段及び補正手段は書き込み制御ＡＳＩＣ４に、書き込みクロック伸縮信号は伸縮信号４９ａに、書き込みクロックは４９ｂに、それぞれ対応する。
【発明の効果】
【００２８】
本発明によれば、クロック周波数伸縮により書き込みクロックを縮めた際、それにより画像データの濃度が減少した場合においては、次書き込みクロックで削られた微小画素分の画素を走査方向での次画素の位相や濃度の情報に従って補正（割振り）するので、濃度情報の変化をなくし、出力画像への影響が生じないようにすることができる。
【発明を実施するための最良の形態】
【００２９】
以下、本発明の実施形態について図面を参照して説明する。
【００３０】
図１は本実施形態に係る画像形成装置としてのデジタル複写機の概略構成を示すブロック図である。このデジタル複写機１は、原稿画像を読み取るスキャナ部ＳＣ、プリンタ部ＰＲ、内部システムバス１０及びＩ／Ｆ１１を介してスキャナ部ＳＣ及びプリンタ部ＰＲに接続されたＣＰＵ７、ＲＯＭ８、ＲＡＭ９及び画像メモリ１２から構成されている。スキャナ部１は、読み取った信号をＡ／Ｄ変換して黒オフセット補正、シェーディング補正、画素位置補正を行うＶＰＵ２及び画像処理を行うＩＰＵ３を備え、プリンタ部ＰＲは、プリンタ部ＰＲの制御を行う書き込み制御ＡＳＩＣ４、感光体ドラム上に静電潜像データを結像させ、光書き込みを行うＬＤアレイ２１、及びＬＤアレイ２１の半導体レーザの制御を行うＬＤ制御部５を備えている。
【００３１】
前記ＣＰＵ７は装置全体の制御を実行し、ＲＯＭ８にはＣＰＵ７が実行する制御プログラムが格納され、ＲＡＭ９はＣＰＵ７のワークエリアとして機能し、制御プログラムを実行する際に一時的に使用する。画像メモリ１２は読み取った画像の画像情報を記憶する。内部システムバス１０は各装置間のデータの送受に使用され、内部システムバス１０とＩＰＵ３間はＩ／Ｆ１１によってインターフェースされる。また、ＣＰＵ７にはユーザが指示を与える操作部１３が接続されている。
【００３２】
図２は、書き込みユニットの制御構成を示す図である。ＬＤアレイ２１より回転多面鏡からなる偏向器２２方向に出射されたレーザビームは図示しないコリメータレンズによりコリメートされて、前記偏向器２２に入射する。そして、この偏向器２２で偏向され、ｆθレンズ２３により帯電器で所定電位に一様に帯電された感光体ドラム２４の表面に結像され、その結像スポットが偏向器２２の回転で感光体ドラム２４の軸方向に反復して移動すると同時に感光体ドラム２４が回転する。光検出器２５は感光体ドラム２４の走査位置から外れた情報書き込み領域外の光走査方向上流側に設けられ、偏向器２２で偏向されたレーザビームを検出して同期検知信号を発生する。前記結像スポットの偏向器２２の回転による感光体ドラム２４の軸方向の移動により主走査方向の書き込みが行われ、前記感光体ドラム２４の回転により副走査方向に書き込み位置が移動する。
【００３３】
書き込み制御ＡＳＩＣ４は情報信号をＬＤ（半導体レーザ駆動）制御部５内のＬＤ駆動部２７に印可するが、そのタイミングを光検出器２５からの同期信号により制御する。ＬＤ駆動部２７は書き込み制御ＡＳＩＣ４からの情報信号により、半導体レーザ２１を駆動させて感光体ドラム２上に静電潜像を形成させ、この静電潜像は現像器で現像されて転写器で転写紙等に転写される。また、ＬＤアレイ２１内の発光部から後方に出射されるレーザビームは光受光器（ＰＤ）２６に入射してその光強度が検出され、それによる受光信号がＡＰＣ制御部２８に供給される。ＡＰＣ制御部２８は光受光器（ＰＤ）２６の出力信号に応じて半導体レーザ駆動回路２７を制御してＬＤ２１の発光素子の出力光量を一定に制御する（ＡＰＣ制御）。具体的にはＬＤ２１の発光素子の駆動電源をそれぞれの受光信号により各発光素子の出力光量が一定になるように調整して保持するものである。光検出器２９は、有効画像領域外の光走査方向下流側に配置され、光検出器２５とペアで使用して、この光検知器２５，２９へ光が走査される時間差を利用して、ｆθレンズ２３の全体の誤差を求める情報とする。なお、ＬＤ制御部５には書き込み制御ＡＳＩＣ４からＤＡＴＡ信号、ＡＰＣ信号、光量調整信号（ＤＡＣあるいはＰＷＭ）が入力される。
【００３４】
図３は書き込み制御ＡＳＩＣ４の概略構成図で、メモリ部３１、画像処理部３２、及び出力データコントロール部３４からなり、出力データコントロール部３４はさらに画素カウント部３５及び同期検知部３６を備え、同期検知部３６は前記光検知部２５，２９で検知した検知信号に基づいて同期検知を行う。メモリ部３１はＩＰＵ３からの画像データを速度変換及びフォーマット変換し、画像処理部３２はメモリ部３１から入力される画像データを画像処理する。出力データコントロール部３４は画像処理部３２からの画像データに対してγ変換、Ｐセンサパターン付与、等の処理を行う。
【００３５】
図４は書き込み制御ＡＳＩＣ４の出力データコントロール部３４の内部構成を示すブロック図である。出力データコントロール部３４は、Ｐパターンブロック４１、γ変換ブロック４２、ＡＰＣブロック４３、画素カウントブロック４５、ＬＤ  ｏｎ／ｏｆｆブロック４４及びＰＷＭ制御部４６から構成されている。
【００３６】
Ｐパターンブロック４１は、画像処理部３２から入力されたデータに、プロセス条件を決定するデータ取得のために感光体ドラム２４上にある一定の濃度のトナーパターン、いわゆるＰセンサパターンを作成し、γ変換ブロック４２はデータの重みを変化させるγ変換を行う。ＡＰＣブロック４３はＬＤ２１の光量を一定に保つためのＡＰＣ動作タイミングに同期して画像を形成させ、画素カウントブロック４５は各ＬＤ２１の発光ドット数を計測する。ＬＤ  ｏｎ／ｏｆｆブロック４４は同期検出用の発光データを出力し、ＰＷＭ制御部４６は画像データのＰＷＭ制御を行う。
【００３７】
ゲート信号生成ブロック４７は内部に主走査カウンタ部４８を有し、このカウンタを参照することにより各処理に必要となるゲート信号の生成を行う。クロック生成ブロック４９は、内部にＰＷＭ制御部４６とＰＬＬ部４９を有し、図示しない書き込みＣＬＫ伸縮信号発生器からのＣＬＫ伸縮データ（伸縮信号４９ａ）によって、書き込みＣＬＫ４９ｂのクロック幅を変化（伸縮）させる。また、主走査カウンタ部４８においては、有効画像領域外の光検出器２５から光検出器２９までにかかるＣＬＫ数を管理して、ＣＬＫ伸縮信号４９ａを何回発生させるかの情報を本体制御部に出力する。
【００３８】
図５は従来から実施されている補正方法を示す図である。この図は書き込みＣＬＫと画像データと書き込み画素との関係を示したものである。図５において、例えば画素クロックの２ＣＬＫ目が縮んだ時、該当画像データＦＦｈは、本来、微小画素８個で構成されるべきであるが、ＣＬＫ幅が、７／８に変化したので、結果として微小画素７個で構成されることを示している。図６は本発明の実施形態における補正方法を示す図であり、図５の２ＣＬＫ目で削除された微小画素を次３ＣＬＫに追加をしている。
【００３９】
すなわち、８ｂｉｔで構成される画像データは、各１ｂｉｔが微小画素として表され、上位ｂｉｔからパラレル−シリアル変換されて画像データとなる。本発明は、ＣＬＫが縮むことにより最下位ｂｉｔの画像データが次ＣＬＫに反映されるようにしたものである。そのため、図６の例では、３ＣＬＫ目の最上位のｂｉｔが２ＣＬＫ目の最下位のｂｉｔに置き換わっている。したがって、２ＣＬＫ目は７個の微小画素で構成され、３ＣＬＫ目は８個の微小画素で構成されているが、３ＣＬＫ目の最初の画素が２ＣＬＫ目の最後の画素に置き換わり、３ＣＬＫ目の画素がそのまま続く形となっている。
【００４０】
そこで、削られた微小画素の対応を次画素に対してどのように補正するかを図７を参照して説明する。  
図７において、同図（ａ）に示すように本来１ＣＬＫ８個の微小画素次画素が、「右モード」（イ）、「中モード」（ロ）時は、削られた該当画素に隣接する微小エリアに空きがあるので、削られた分の画素を画素Ｂ及び画素Ｃのように次のクロックの先頭の画素に反映する。しかし、「左モード」（ハ）、「フル点灯」（ニ）時には空きとなる微小エリアがないので削られてもその分は反映しない。なお、本実施形態においては、位相データ及び濃度データに対して、固定された判定を行って、補正動作を決定しているが、ＳＰ（サービスマン・プログラム）モードと呼ばれるサービスマンが実行する動作設定モードによって各モードに対して動作を変えることも可能である。
【００４１】
図８はこのときの処理手順、すなわち画素伸縮、付与処理の処理手順を示すフローチャートである。但し、ここでは走査方向で読み取られる画素の濃度が減少した場合に設定モードの反対方向へのシフトを要し、そのシフトした反対側で微小画素を削除又は追加するための動作処理について説明する。
この動作処理では、まず、付与処理フラグが立っているかどうかを付与処理フラグが１であるか否かの判定によりチェックする処理（ステップＳ１０１）を行った結果、付与処理フラグが１でなく付与処理フラグが立っていなければ、画素付与処理は行わずに後の処理で微小画素を削除できるように、引き続いてＣＬＫの縮みがあるかどうかをさらにチェックする処理（ステップＳ１０２）を行う。この結果、縮みがなければ伸縮も付与もする必要がないので、そのまま処理を継続させるために初期動作開始へリターンするが、ＣＬＫの縮みがあれば走査方向で読み取った画素の濃度情報が全て黒画素であるかどうかを全黒であるか否かの判定によりチェックする処理（ステップＳ１０３）を行う。この結果、黒でない画素があれば「右モード」であるか否かをチェックする処理（ステップＳ１０４）を行い、その結果が右モードであれれば、微小画素１個分左へシフトする処理（ステップＳ１０５）を行った後、右端の微小画素を削除する処理（ステップＳ１０６）を行ってから処理を継続させるために初期動作開始へリターンするが、「右モード」でなければ、右端の微小画素を削除する処理（ステップＳ１０５）を行ってから同様に処理を継続させるために初期動作開始へリターンする。また、ステップＳ１０３で読み取った画素が全て黒画素であれば、微小画素の削除後の継続する処理で微小画素の追加を行うことができるように付与処理フラグを１にセットして付与処理フラグを立てる処理（ステップＳ１０７）を行った後、右端の微小画素を削除する処理（ステップＳ１０５）を行ってから同様に処理を継続させるために初期動作開始へリターンする。
【００４２】
一方、ステップＳ１０１で付与処理フラグが１で立っていれば、画素付与処理を行って微小画素を追加できるように、付与処理フラグをクリアする処理（ステップＳ１０８）を行った後、走査方向で読み取った画素の濃度情報が全て黒画素であるかどうかを全黒であるか否かの判定によりチェックする処理（ステップＳ１０９）を行う。この結果、読み取った画素が全て黒画素であれば、画素付与処理を行わずにそのまま処理を継続させるために初期動作開始へリターンするが、黒でない画素があれば「左モード」であるか否かをチェックする処理（ステップＳ１１０）を行う。その結果、「左モード」であれば、微小画素１個分右へシフトする処理（ステップＳ１１１）を行った後、左端に微小画素を追加する処理（ステップＳ１１１）を行ってから処理を継続させるために初期動作開始へリターンするが、「左モード」でなければ、左端に微小画素を追加する処理（ステップＳ１１２）を行ってから同様に処理を継続させるために初期動作開始へリターンする。
【００４３】
なお、ステップＳ１０４においては右モード（イ）であるか否かを判定しているが、図７で説明したように中モード（ロ）の場合もステップＳ１０４と同様である。また、ステップＳ１１０においては左モード（ハ）か否かを判定しているが、フル点灯（ニ）の場合もステップＳ１１０と同様である。
【００４４】
図９に変調クロックの動作概念図を示す。同図において上から画素クロックの位相補正前の画素イメージ、および画素クロック波形、画素クロックの位相補正（変調）後における変調画素クロック波形、および画素イメージを表している。本来、複雑に画素クロック若しくは画素が同じ形状でない場合を補正して、正しい周期の画素クロック、および画素イメージを作成する訳であるが、図及び説明が煩雑になるため、図９では、補正（変調）前の画素クロック、及び画素イメージは均一であるとした。例えば、画素クロックを補正（変調）前の画素クロックの１／１６画素クロックずつ短く（周波数的には高く）変調した場合、図９に示すように、１画素のサイズは変調前に比べて１５／１６のサイズとなる。同様に６画素連続して画素クロックを変調した場合、６画素合わせて合計６／１６画素分書込み幅を短くすることが可能となる。
【００４５】
図１０に、１ライン分画素クロック変調した場合の画素イメージ図を表す。有効走査期間である書込み幅において（図１０（ａ）、例えばレーザ走査光学系のリニアリティ変動により、主走査ビームスポットの位置ずれが発生する場合を考える。この場合、本来等間隔であるべき画素は図に○点で示すように、疎密を生じ位置ずれをおこす（図１０（ｂ））。しかしながら、このように予め判っている位置ずれに対しては、それに対応する位置の補正データを用意して、その補正データに従いクロック変調を行うことにより、図１０（ｃ）に示すように、位置ずれがほとんどなく、画素が均等に並ぶように補正することが可能となる。また、温度等による位置ずれの場合には、位置ずれ検知用センサを用意して、フイードバック制御系を構成すれば、位置補正が可能となる。
【００４６】
図１１に変調画素クロック生成の構成を、また図１２にタイムチャートを示す。入力は、高周波クロックと、画素クロックに基づいて補正データ（変調データ）が制御信号生成部６１に入力され、タイムチャートに示す制御信号を生成する。この制御信号に基づいて、例えばＪＫ−ＦＦ（ＪＫ−ＦｌｉｐＦｌｏｐ）を使いトグルさせることにより変調画素クロックを生成している。そして、補正データに従って制御信号を出力するタイミングを変えることにより画素クロックの周期を１クロック毎に変えることができる。図中、補正データが＋１の時は画素クロックを伸ばし（周波数を低下させる）、−１の時は画素クロックを縮める（周波数を高くする）ようにしている。
【００４７】
図１３は、図１のデジタル複写機の機械的構成の概略を示す図である。同図において、デジタル複写機はモノクロ画像形成用のもので本体４００と、画像形成装置本体４００の上部の設置された画像読み取り装置（図１におけるスキャナ部ＳＣに対応）５００と、さらにその上に装着された自動原稿給送装置（以下、「ＡＤＦ」と称す）５５０と、画像形成装置本体４００の図１３において右側に配置された大容量給紙装置７００と、画像形成装置本体４００の図１３において左側に配置された用紙後処理装置８００とから基本的に構成されている。
【００４８】
画像形成装置本体４００は画像書き込み部（図１におけるプリンタ部ＰＲに対応）４１０と、作像部４２０と、定着部４３０と、両面搬送部４４０と、給紙部４５０と、垂直搬送部４６０と、手差し部４７０とからなる。
【００４９】
画像書き込み部４１０は画像読み取り装置５００で読み取った原稿の画像情報に基づいて発光源であるＬＤを変調し、ポリゴンミラー、ｆθレンズなどの走査光学系により感光体ドラム４２１にレーザ書き込みを行うものである。作像部４２０は感光体ドラム４２１と、この感光体ドラム４２１の外周に沿って設けられた現像ユニット４２２、転写ユニット４２３、クリーニングユニット４２４及び除電ユニットなどの公知の電子写真方式の作像要素とからなる。
【００５０】
定着部４３０は前記転写ユニット４２３で転写された画像を転写紙に定着する。両面搬送部４４０は定着部４２０の転写紙搬送方向下流側に設けられ、転写紙の搬送方向を用紙後処理装置８００側、あるいは両面搬送部４４０側に切り換える第１の切換爪４４１と、第１の切換爪４４１によって導かれた反転搬送路４４２と、反転搬送路４４２で反転した転写紙を再度転写ユニット４２３側に搬送する画像形成側搬送路４４３と、反転した転写紙を用紙後処理装置８００側に搬送する後処理側搬送路４４４とを含み、画像形成側搬送路４４３と後処理側搬送路４４４との分岐部には第２の切換爪４４５が配されている。
【００５１】
給紙部４５０は４段の給紙段からなり、それぞれピックアップローラ、給紙ローラによって選択された給紙段に収納された転写紙が引き出され、垂直搬送部４６０に導かれる。垂直搬送部４６０では、各給紙段から送り込まれた転写紙を転写ユニット４２３の用紙搬送方向上流側直前のレジストローラ４６１まで搬送し、レジストローラ４６１では、感光体ドラム４２１上の顕像の画像先端とタイミングを取って転写紙を転写ユニット４２３に送り込む。手差し部４７０は開閉自在な手差しトレイ４７１を備え、必要に応じて手差しトレイ４７１を開いて転写紙を手差しにより供給する。この場合もレジストローラ４６１で転写紙の搬送タイミングが取られ、搬送される。
【００５２】
大容量給紙装置７００は同一サイズの転写紙を大量にスタックして供給するもので、転写紙が消費されるにしたがって底板７０２が上昇し、常にピックアップローラ７０１から用紙のピックアップが可能に構成されている。ピックアップローラ７０１から給紙される転写紙は、垂直搬送部４６０からレジストローラ４６１のニップまで搬送される。
【００５３】
用紙後処理装置８００はパンチ、整合、ステイプル、仕分けなどの所定の処理を行うもので、この実施形態では、前記機能のためにパンチ８０１、ステイプルトレイ（整合）８０２、ステイプラ８０３、シフトトレイ８０４を備えている。すなわち、画像形成装置４００から用紙後処理装置８００に搬入された転写紙は、孔明けを行う場合にはパンチ８０１で１枚ずつ孔明けが行われ、その後、特に処理するものがなければ、プルーフトレイ８０５へ、ソート、スタック、仕分けを行う場合にはシフトトレイ８０４にそれぞれ排紙される。仕分けは、この実施形態は、シフトトレイ８０４が用紙搬送方向に直交する方向に所定量往復動することにより行われる。このほかに、用紙搬送路で用紙を用紙搬送方向と直交する方向に移動させて仕分けを行うこともできる。
【００５４】
整合する場合には、孔明けが行われた、あるいは孔明けが行われていない転写紙が下搬送路８０６に導かれ、ステイプルトレイ８０４において後端フェンスで用紙搬送方向を直交する方向が整合され、ジョガーフェンスで用紙搬送方向と平行な方向の整合が行われる。ここで、綴じが行われる場合には、整合された用紙束の所定位置、例えば角部、中央２個所など所定の位置がステイプラ８０３によって綴じられ、放出ベルトによってシフトトレイ８０４に排紙される。また、この実施形態では、下搬送路８０６にはプレスタック搬送路８０７が設けられ、搬送時に複数枚の用紙をスタックし、後処理中の画像形成装置本体４００側の画像形成動作の中断を避けることができるようになっている。
【００５５】
画像読み取り装置５００は、ＡＤＦ６００によってコンタクトガラス５１０上に導かれ、停止した原稿を光学的にスキャンし、第１ないし第３のミラーを経て結像レンズで結像された読み取り画像をＣＣＤやＣＭＯＳなどの光電変換素子によって読み取る。読み取られた画像データは、図示しない画像処理回路で所定の画像処理が実行され、記憶装置に一旦記憶される。そして、画像形成時に画像書き込み部４１０によって記憶装置から読み出され、画像データに応じて変調し、光書き込みが行われる。
【００５６】
ＡＤＦ５５０は両面読み取り機能を有するもので、画像読み取り装置５００のコンタクトガラス５１０設置面に開閉自在に取り付けられている。このＡＤＦ５５０では、原稿載置台５５１に載置された原稿が原稿読み取り時に自動的にコンタクトガラス５１０上に送り出される。
【００５７】
以上のように本実施形態によれば、書き込みＣＬＫの伸縮によって画像を縮める動作の際、削られた微小画素分を次ＣＬＫにて追加補正しているので、濃度情報が変化することがなくなり、出力画像への影響をなくすことができる。
【００５８】
また、次ＣＬＫ（次画像）に対する補正内容を次画像の位相情報に基づいて決定するので、次画像に対しての微小画素追加の影響を最小にすることができる。
【００５９】
さらに、次ＣＬＫ（次画像）に対する補正内容を次画像の濃度情報に基づいて決定するので、次画像に対しての微小画素追加の影響を最小にすることができる
【図面の簡単な説明】
【００６０】
【図１】本実施形態に係る画像形成装置としてのデジタル複写機の概略構成を示すブロック図である。
【図２】書き込みユニットの制御構成を示す図である。
【図３】書き込み制御ＡＳＩＣの概略構成図である。
【図４】書き込み制御ＡＳＩＣの出力データコントロール部３４の内部構成を示すブロック図である。
【図５】従来から実施されている補正方法を示す図である。
【図６】本発明の実施形態における補正方法を示す図である。
【図７】微小画素の次画素に対する補正方法を示す図である。
【図８】画素伸縮、付与処理の処理手順を示すフローチャートである。
【図９】画素クロックを補正する手法の１つとしての変調クロックの動作概念図である。
【図１０】１ライン分画素クロック変調した場合の画素イメージを示す図である。
【図１１】変調画素クロック生成の構成を示す図である。
【図１２】図１１における変調画素クロック生成におけるタイミングを示すタイミングチャートである。
【図１３】図１のデジタル複写機の機械的構成の概略を示す図である。
【符号の説明】
【００６１】
１  スキャナ分
４  書き込み制御ＡＳＩＣ
５  ＬＤ制御部
７  ＣＰＵ
１２  画像メモリ
１３  操作部
２１  ＬＤアレイ
２５，２９  光検知器
４１  Ｐパターンブロック
４２  γ変換ブロック
４３  ＡＰＣブロック
４４  ＬＤ  ｏｎ／ｏｆｆブロック
４５  画素カウントブロック
４６  ＰＷＭ制御部
４７  ゲート信号生成部
４８  主走査カウンタ部
４９  クロック生成部
４９ａ  伸縮信号
４９ｂ  書き込みクロック
Ａ，Ｂ，Ｃ  黒画素
ＳＣ  スキャナ部
ＰＲ  プリンタ部
【図１】
0004777720.tif 000002
【図２】
0004777720.tif 000003
【図３】
0004777720.tif 000004
【図４】
0004777720.tif 000005
【図５】
0004777720.tif 000006
【図６】
0004777720.tif 000007
【図７】
0004777720.tif 000008
【図８】
0004777720.tif 000009
【図９】
0004777720.tif 000010
【図１０】
0004777720.tif 000011
【図１１】
0004777720.tif 000012
【図１２】
0004777720.tif 000013
【図１３】
0004777720.tif 000014